(57)【要約】【課題】安全性を改善し、尚且つ製造効率やトレーサビリティを高い次元で改善することが可能である。【解決手段】ＩＣカード1の発行時にＩＣカード発行装置１０１を用いて、ＩＣチップＣ１に個人情報を記録するとともに、個人情報がカード面に記録されるＩＣカード1であり、発行前のＩＣカード1のカード面に、ＩＣチップＣ１に記録したＩＣ内部固有情報と関連付けられた消去可能な券面ＩＣ固有情報２３、２４が記録されており、発行時の処理で券面ＩＣ固有情報２３、２４が消去可能である。【選択図】図１
2007102404.tif 000002
【特許請求の範囲】
【請求項１】
ＩＣカードの発行時にＩＣカード発行装置を用いて、ＩＣチップに個人情報を記録するとともに、個人情報がカード面に記録されるＩＣカードであり、
発行前の前記ＩＣカードのカード面に、
前記ＩＣチップに記録したＩＣ内部固有情報と関連付けられた消去可能な券面ＩＣ固有情報が記録されており、発行時の処理で前記券面ＩＣ固有情報が消去可能であるようにしたことを特徴とするＩＣカード。
【請求項２】
前記消去可能な券面ＩＣ固有情報が、消去可能な可視の券面ＩＣ固有情報であり、発行時の処理で前記券面ＩＣ固有情報を不可視に変更して消去可能であることを特徴とする請求項１に記載のＩＣカード。
【請求項３】
前記消去可能な券面ＩＣ固有情報が熱溶融インキ記録であり、サーマルヘッドを用いて逆転写により消去可能であることを特徴とする請求項１または請求項２に記載のＩＣカード。
【請求項４】
前記消去可能な券面ＩＣ固有情報が凹凸状の記録像であり、サーマルヘッドを用いた平滑化により消去可能であることを特徴とする請求項１または請求項２に記載のＩＣカード。
【請求項５】
前記消去可能な券面ＩＣ固有情報が感熱発色記録であり、サーマルヘッドを用いた発色もしくは消色により消去可能であることを特徴とする請求項１または請求項２に記載のＩＣカード。
【請求項６】
前記消去可能な券面ＩＣ固有情報が赤外吸収性薄膜層記録であり、レーザー記録ヘッドを用いたアブレーションにより消去可能であることを特徴とする請求項１または請求項２に記載のＩＣカード。
【請求項７】
前記消去可能な券面ＩＣ固有情報が昇華熱転写記録であり、サーマルヘッドを用いた色素逆転写により消去可能であることを特徴とする請求項１または請求項２に記載のＩＣカード。
【請求項８】
前記消去可能な可視の券面ＩＣ固有情報が熱溶融インキ記録であり、熱溶融インキリボンがＵＶ蛍光物質層もしくは赤外吸収層、黒インキ層、支持体の構成で、前記黒インキ層を転写して記録され、サーマルヘッドを用いた逆転写で前記黒インキ層のみ逆転写により不可視に変更して消去可能であることを特徴とする請求項１または請求項２に記載のＩＣカード。
【請求項９】
前記消去可能な券面ＩＣ固有情報が可視の赤外吸収性薄膜層記録であり、赤外吸収を持たない同色の印画を券面ＩＣ固有情報周辺に印字してカモフラージュして不可視に変更して消去可能であることを特徴とする請求項１または請求項２に記載のＩＣカード。
【請求項１０】
前記消去可能な券面ＩＣ固有情報が可視の赤外吸収性薄膜層上に設けられた赤外吸収性有色記録層であり、レーザー記録ヘッドを用いたアブレーションにより一様に除去し、券面ＩＣ固有情報部のみ残存させ不可視に変更して消去可能であることを特徴とする請求項１または請求項２に記載のＩＣカード。
【請求項１１】
前記消去可能な券面ＩＣ固有情報が可視の赤外吸収性色素の昇華熱転写記録であり、サーマルヘッドを用いて、赤外吸収性のない同色の印画を券面ＩＣ固有情報周辺に印字して不可視に変更して消去可能であることを特徴とする請求項１または請求項２に記載のＩＣカード。
【請求項１２】
請求項１乃至請求項１１のいずれか１項に記載のＩＣカードのＩＣチップに個人情報を記録するデータ記録手段と、
前記ＩＣカードのカード面に個人情報を記録するカード面記録手段と、
前記ＩＣカードのカード面に前記ＩＣチップに記録したＩＣ内部固有情報と関連付けられた消去可能な券面ＩＣ固有情報を消去する消去手段と、
を有することを特徴とするＩＣカード発行装置。
【請求項１３】
ＩＣカード発行装置を備え、このＩＣカード発行装置は、カード所有者の個人情報が登録されているデータサーバから請求項１乃至請求項１１のいずれか１項に記載のＩＣカードのカード面に記録するデータを受信して記録するとともに、ＩＣチップに記録してＩＣカードを発行するＩＣカード発行システムであり、
前記ＩＣカード発行装置は、
前記ＩＣチップに記録されたＩＣ内部固有情報と、
前記ＩＣカードのカード面に記録された消去可能な券面ＩＣ固有情報とを読み取り前記データサーバに送信し、
前記データサーバは、
前記ＩＣ内部固有情報と前記券面ＩＣ固有情報とを関連付けて登録し、かつ関連付けする固有情報を前記ＩＣカード発行装置へ送信し、
前記ＩＣカード発行装置は、前記カード面に記録された券面ＩＣ固有情報を消去し、かつ前記関連付けした固有情報を前記カード面及び前記ＩＣチップに記録して前記ＩＣカードを発行することを特徴とするＩＣカード発行システム。
【発明の詳細な説明】
【技術分野】
【０００１】
この発明は、偽造、変造防止等の安全性が要求される個人情報等を記憶する接触式および非接触式の電子カード、あるいはシステムに適用して好適なＩＣカード、ＩＣカード発行装置並びにＩＣカード発行システムに関する。
【背景技術】
【０００２】
身分証明書カード（ＩＤカード）やクレジットカードなどには、従来磁気記録方式によりデータを記録する磁気カードが広く利用されてきた。しかしながら、磁気カードはデータの書き換えが比較的容易にできるため、データの改ざん防止が十分でないこと、磁気のため外的な影響を受けやすく、データの保護が十分でないこと、さらに記録できる容量が少ないなどの問題点があった。そこで、近年ＩＣチップを内蔵したＩＣカードが普及し始めている。
【０００３】
ＩＣカードは、表面に設けられた電気接点やカード内部のアンテナを介して外部の機器とデータの読み書きをする。ＩＣカードは磁気カードに比べて記憶容量が大きく、安全性も大きく向上している。特に、カード内部にＩＣチップと外部との情報のやりとりをするためのアンテナを内蔵し、カード外部に電気接点を持たない非接触式ＩＣカードは、電気接点をカード表面にもつ接触式ＩＣカードに比べて安全性が優れ、データの機密性と偽変造防止性を高く要求する用途に使用されつつある。
【０００４】
このようなＩＣカードとして、例えば第１の支持体と第２の支持体が接着剤を介して貼り合わされ、その接着剤層中にＩＣチップおよびアンテナを有するＩＣモジュールを封入するものがある（例えば、特許文献１）。
【特許文献１】特開２０００−１８２０１９号公報（第１〜第６頁、図１〜図８）
【発明の開示】
【発明が解決しようとする課題】
【０００５】
この特許文献１等に記載されるＩＣカードは安全性が高いために耐久性が偽造変造の観点からも重要になっている。特に、ＩＣカード内部にＩＣチップと外部との情報のやりとりをするためのアンテナなどの電気部品が内蔵されているため、その耐久性を確保するためさまざまな試みが行われている。しかしながら、さまざまな用途に使用され普及しつつある中、さらに高い耐久性が必要とされてきた。ＩＣカードという特性上、常に携帯しズボンのポケット等での繰返し曲げ、落下、コイン等の圧力に対して強い耐久性が要求される。これに対しＩＣチップに強固な補強構造物を設ける等の改良が提案されている。
【０００６】
しかしながら、一定の耐久性の向上は見られるが、さまざまな状況に対して十分な耐久性が得られてなく、ＩＣチップが割れたり、ＩＣカードが破損し引いては電気動作が不可能になりカード情報や個人情報を確認できない等問題が発生していた。
【０００７】
また、故意に悪意ある第三者がＩＣチップ内データを改竄したり、破壊した場合、ＩＣカードやＩＣチップが真正なものであったのかどうかの判定が難しくなったり、製造の過程に原因があって故障したものかどうか、の判定が難しかった。従来、表面にレーザー等でシリアル番号を可視で刻印しているものが用いられているが、カード表面デザインに制約がある場合には用いることができなかった。また、カード表面デザインに制約が少なく用いることができても、カード所有者にはまったく関係のない情報が記載されているものであるという問題もあった。
【０００８】
また、カード製造の過程においても、ＩＣチップ内の情報が読み取られなくなった場合、そのＩＣカードの履歴の特定ができなくなり、原因追及や再作製を行うための調査に時間を要し再発行や製造収率、効率が低下する問題点があった。
【０００９】
この発明は、かかる点に鑑みてなされたもので、安全性を改善し、尚且つ製造効率やトレーサビリティを高い次元で改善することが可能なＩＣカード、ＩＣカード発行装置及びＩＣカード発行システムを提供することを目的としている。
【課題を解決するための手段】
【００１０】
前記課題を解決し、かつ目的を達成するために、この発明は、以下のように構成した。
【００１１】
第1発明のＩＣカードは、ＩＣカードの発行時にＩＣカード発行装置を用いて、ＩＣチップに個人情報を記録するとともに、個人情報がカード面に記録されるＩＣカードであり、発行前の前記ＩＣカードのカード面に、前記ＩＣチップに記録したＩＣ内部固有情報と関連付けられた消去可能な券面ＩＣ固有情報が記録されており、発行時の処理で前記券面ＩＣ固有情報が消去可能であるようにしたことを特徴とする。前記消去可能な券面ＩＣ固有情報が、消去可能な可視の券面ＩＣ固有情報である場合、発行時の処理で前記券面ＩＣ固有情報を不可視に変更して消去可能である。
【００１２】
前記消去可能な券面ＩＣ固有情報が熱溶融インキ記録である場合、サーマルヘッドを用いて逆転写により消去可能である。また、前記消去可能な券面ＩＣ固有情報が凹凸状の記録像である場合、サーマルヘッドを用いた平滑化により消去可能である。また、前記消去可能な券面ＩＣ固有情報が感熱発色記録である場合、サーマルヘッドを用いた発色もしくは消色により消去可能である。また、前記消去可能な券面ＩＣ固有情報が赤外吸収性薄膜層記録である場合、レーザー記録ヘッドを用いたアブレーションにより消去可能である。また、前記消去可能な券面ＩＣ固有情報が昇華熱転写記録である場合、サーマルヘッドを用いた色素逆転写により消去可能である。また、前記消去可能な可視の券面ＩＣ固有情報が熱溶融インキ記録である場合、熱溶融インキリボンがＵＶ蛍光物質層もしくは赤外吸収層、黒インキ層、支持体の構成で、前記黒インキ層を転写して記録され、サーマルヘッドを用いた逆転写で前記黒インキ層のみ逆転写により不可視に変更して消去可能である。また、前記消去可能な券面ＩＣ固有情報が可視の赤外吸収性薄膜層記録である場合、赤外吸収を持たない同色の印画を券面ＩＣ固有情報周辺に印字してカモフラージュして不可視に変更して消去可能である。また、前記消去可能な券面ＩＣ固有情報が可視の赤外吸収性薄膜層上に設けられた赤外吸収性有色記録層である場合、レーザー記録ヘッドを用いたアブレーションにより一様に除去し、券面ＩＣ固有情報部のみ残存させ不可視に変更して消去可能である。また、前記消去可能な券面ＩＣ固有情報が可視の赤外吸収性色素の昇華熱転写記録である場合、サーマルヘッドを用いて、赤外吸収性のない同色の印画を券面ＩＣ固有情報周辺に印字して不可視に変更して消去可能である。
【００１３】
第２発明のＩＣカード発行装置は、請求項１乃至請求項１１のいずれか１項に記載のＩＣカードのＩＣチップに個人情報を記録するデータ記録手段と、前記ＩＣカードのカード面に個人情報を記録するカード面記録手段と、前記ＩＣカードのカード面に前記ＩＣチップに記録したＩＣ内部固有情報と関連付けられた消去可能な券面ＩＣ固有情報を消去する消去手段と、を有することを特徴とする。
【００１４】
第３発明のＩＣカード発行システムは、ＩＣカード発行装置を備え、このＩＣカード発行装置は、カード所有者の個人情報が登録されているデータサーバから請求項１乃至請求項１１のいずれか１項に記載のＩＣカードのカード面に記録するデータを受信して記録するとともに、ＩＣチップに記録してＩＣカードを発行するＩＣカード発行システムであり、前記ＩＣカード発行装置は、前記ＩＣチップに記録されたＩＣ内部固有情報と、前記ＩＣカードのカード面に記録された消去可能な券面ＩＣ固有情報とを読み取り前記データサーバに送信し、前記データサーバは、前記ＩＣ内部固有情報と前記券面ＩＣ固有情報とを関連付けて登録し、かつ関連付けする固有情報を前記ＩＣカード発行装置へ送信し、前記ＩＣカード発行装置は、前記カード面に記録された券面ＩＣ固有情報を消去し、かつ前記関連付けした固有情報を前記カード面及び前記ＩＣチップに記録して前記ＩＣカードを発行することを特徴とする。
【発明の効果】
【００１５】
前記構成により、この発明は、以下のような効果を有する。
【００１６】
第1発明のＩＣカードでは、発行前のＩＣカードのカード面に、ＩＣチップに記録したＩＣ内部固有情報と関連付けられた消去可能な券面ＩＣ固有情報が記録されており、例え、ＩＣカードに不都合があり、ＩＣカードの機能が不全になったとしても、そのＩＣカードに内蔵されているＩＣチップの固有番号を知ることができ、故障の原因をトレースすることができる。また、消去可能なので、発行時に券面ＩＣ固有情報を消去してＩＣカードを発行できるため、カード表面デザインの制約が少なくなり、カード所有者にはまったく関係のない情報を券面に記録する必要がなくなり、外観性を向上させることができる。
【００１７】
第２発明のＩＣカード発行装置では、ＩＣカードのＩＣチップに電気的な個人情報を記録し、またＩＣカードのカード表面側には個人情報を記録し、さらにＩＣカード券面に記録されていた券面ＩＣ固有情報を消去する。この発行時の処理で券面ＩＣ固有情報が消去されるので、カード表面デザインに制約が少なく、カード所有者にはまったく関係のない情報を券面に記録する必要がなくなり、外観性を向上させたＩＣカードが発行できる。
【００１８】
第３発明のＩＣカード発行システムでは、カード面に記録された消去可能な券面ＩＣ固有情報を消去してＩＣカードを発行するが、ＩＣ内部固有情報と券面ＩＣ固有情報とを関連付けしてデータベースに記録するため、発行後、ＩＣチップが割れたり、ＩＣカードが破損し引いては電気動作が不可能になっても券面の固有情報を読み取ることで、ＩＣ内部固有情報を確認でき、また故意に悪意ある第三者がＩＣチップ内データを改質したり、破損した場合、ＩＣカードやＩＣチップが真正なものであったのかどうかの判定ができる。また製造の過程に原因があって故障したものかどうかなどの判定ができる。このように、発行時までは券面ＩＣ固有情報を記録していても、発行時の処理で券面ＩＣ固有情報を消去するので、カード表面デザインに制約が少なく、カード所有者にはまったく関係のない情報を券面に記載する必要がなくなり、外観性を向上させることができるだけでなく、発行前後のＩＣ内部固有情報に関連した情報をカード券面に表示できるので、電気的な読み取りなしで、確認でき、トーレーサビリティに優れる。
【発明を実施するための最良の形態】
【００１９】
以下、この発明のＩＣカード、ＩＣカード発行装置及びＩＣカード発行システムの実施の形態を図面に基づいて詳細に説明するが、この発明は、この実施の形態に限定されない。
【００２０】
まず、第１発明のＩＣカードについて説明する。図１はＩＣカードの発行前と発行後の平面図、図２はＩＣカードの層構成を示す図である。
【００２１】
ＩＣカード１は、身分証明書カードやクレジットカードなどに広く適用することができ、対向する２つの第１の支持体２１０と第２の支持体２２０との間に、接着層２３１、２３２を介在してＩＣチップＣ１、アンテナＣ２を有するＩＣモジュールＣが配置されてなる。ＩＣチップＣ１に隣接して補強構造物を設けてもよく、この場合ＩＣカード１を常に携帯しズボンのボケット等での繰返し曲げ、落下、コイン等の圧力に対しても耐久性が向上する。一方の第１の支持体２１０には受像層２３３が設けられ、第２の支持体２２０には筆記層２３４が設けられている。
【００２２】
発行前のＩＣカード1には、図１(a)に示すように、カード面の表面に氏名、生年月日などの文字情報を記録する文字情報記録領域２０、顔写真などの画像情報を記録する画像情報記録領域２１、ＩＤ番号などの固有情報を記録する固有情報記録領域２２が受像層２３３に設けられている。
【００２３】
この発行前のＩＣカード1には、ＩＣカード発行装置を用いて、図１(b)に示すように、文字情報記録領域２０に、氏名、生年月日などを文字情報により個人情報３０を記録する。画像情報記録領域２１に、顔写真などの画像情報により個人情報３１を記録する。固有情報記録領域２２に、ＩＤ番号などの固有情報３２を記録する。この個人情報３０、３１及び固有情報３２は、ＩＣチップＣ１にもデータとして記録する。
【００２４】
この固有情報３２としては、ＩＣカードを識別する識別番号、製造管理ロット番号、検査情報や暗号鍵等、また、個人識別情報（氏名、住所、従業員番号、顔画像など）、製造者、発行機番号等、個別に識別可能な情報であれば特に制限がない。また、固有情報３２は、暗号化されていてもよく、安全性の観点からは公知の暗号、照合する方法を用いることが好ましく、暗号、照合する情報を含んでよい。
【００２５】
この受像層２３３には、個人情報３０、３１及び固有情報３２を保護する保護層２３５を設け、この保護層２３５を設けることで、摩耗や薬品などから、また、落下、コイン等の圧力に対して耐久性が向上する。
【００２６】
この第1発明では、発行前のＩＣカード1のカード面に、図１(a)に示すように、消去可能なＩＣチップＣ１に記録したＩＣ内部固有情報と関連付けられた券面ＩＣ固有情報２３が記録されており、この券面ＩＣ固有情報２３は、カード面に記録されればよく、表面の券面に限定されず、裏面、または側面などでもよい。
【００２７】
このように、カード製造段階で券面ＩＣ固有情報２３が記録されているが、カード発行段階で券面ＩＣ固有情報２３を消去する。券面ＩＣ固有情報２３を消去してＩＣカード1を発行しても、ＩＣ内部固有情報と券面ＩＣ固有情報２３とを関連付けする固有情報３２を券面に記録し、かつＩＣチップＣ１に記録していることで、ＩＣチップＣ１が割れたり、ＩＣカード1が破損し引いては電気動作が不可能になっても券面の固有情報３２を読み取ることで、カード情報や個人情報を確認でき、また故意に悪意ある第三者がＩＣチップ内データを改竄したり、破壊した場合、ＩＣカード１やＩＣチップＣ１が真正なものであったのかどうかの判定ができ、また製造の過程に原因があって故障したものかどうか、の判定ができる。さらに、発行時の処理で券面ＩＣ固有情報２３を消去することで、カード表面デザインに制約がなく、カード所有者にはまったく関係のない情報が見えなくなり、外観性が向上する。
【００２８】
次に、図３乃至図７に基づいて、消去可能な券面ＩＣ固有情報２３を、ＩＣカード発行装置に備えられる消去手段４０により消去する実施の形態について説明する。
【００２９】
図３の実施の形態は、消去可能な券面ＩＣ固有情報２３が熱溶融インキ記録２３ａである(図３（ａ）)。消去手段４０がサーマルヘッド４０ａを用いた逆転写手段であり、受像層２３３に記録された券面ＩＣ固有情報２３の熱溶融インキ記録２３ａを、サーマルヘッド４０ａを用いて逆転写により(図３（ｂ）)、消去する(図３（ｃ）)。
【００３０】
図４の実施の形態は、消去可能な券面ＩＣ固有情報２３が凹凸状の記録像２３ｂである(図４（ａ）)。消去手段４０がサーマルヘッド４０ａを用いた平滑化手段であり、受像層２３３に記録された券面ＩＣ固有情報２３の凹凸状の記録像２３ｂを、サーマルヘッド４０ａを用いた平滑化により(図４（ｂ）)、消去する(図４（ｃ）)。
【００３１】
図５の実施の形態は、消去可能な券面ＩＣ固有情報２３が感熱発色記録２３ｃである(図５（ａ）)。消去手段４０がサーマルヘッド４０ａを用いた発色もしくは消色手段であり、受像層２３３に記録された券面ＩＣ固有情報２３の感熱発色記録２３ｃを、サーマルヘッド４０ａを用いた発色もしくは消色により(図５（ｂ）)、消去する(図５（ｃ）)。
【００３２】
図６の実施の形態は、消去可能な券面ＩＣ固有情報２３が赤外吸収性薄膜層記録２３ｄである(図６（ａ）)。消去手段４０がレーザー記録ヘッド４０ｂを用いたアブレーション消去手段であり、受像層２３３に記録された券面ＩＣ固有情報２３の赤外吸収性薄膜層記録２３ｄを、レーザー記録ヘッド４０ｂを用いたアブレーションにより(図６（ｂ）)、消去する(図６（ｃ）)。
【００３３】
図７の実施の形態は、消去可能な券面ＩＣ固有情報２３が昇華熱転写記録２３ｅである(図７（ａ）)。消去手段４０がサーマルヘッド４０ａを用いた色素逆転写消去手段であり、受像層２３３に記録された券面ＩＣ固有情報２３の昇華熱転写記録２３ｅを、サーマルヘッド４０ａを用いた色素逆転写により(図７（ｂ）)、消去する(図７（ｃ）)。
【００３４】
この消去可能な券面ＩＣ固有情報２３が、消去可能な可視の券面ＩＣ固有情報でもよく、消去可能な可視の券面ＩＣ固有情報である場合、発行時の処理で券面ＩＣ固有情報を不可視に変更して消去可能である。
【００３５】
次に、図８乃至図１１に基づいて、消去可能な可視の券面ＩＣ固有情報を、ＩＣカード発行装置に備えられる消去手段により不可視の券面ＩＣ固有情報に変えて消去する実施の形態について説明する。
【００３６】
図８の実施の形態は、消去可能な可視の券面ＩＣ固有情報２４が熱溶融インキ記録２４ａである(図８（ａ）)。熱溶融インキリボンがＵＶ蛍光物質層もしくは赤外吸収層、黒インキ層、支持体の構成であり、熱溶融インキリボンのＵＶ蛍光物質層もしくは赤外吸収層２４ａ１、黒インキ層２４ａ２を転写して熱溶融インキ記録２４ａが設けられる。消去手段４１がサーマルヘッド４１ａを用いた逆転写手段であり、受像層２３３に記録された券面ＩＣ固有情報２４の熱溶融インキ記録２４ａを、サーマルヘッド４１ａを用いて逆転写により(図８（ｂ）)、黒インキ層２４ａ２のみ消去して不可視の券面ＩＣ固有情報２４に変えて消去する(図8（ｃ）)。
【００３７】
図９の実施の形態は、消去可能な可視の券面ＩＣ固有情報２４が赤外吸収性薄膜層記録２４ｂである(図９（ａ）)。消去手段４１がサーマルヘッド４１ａであり、サーマルヘッド４１ａを用い、受像層２３３に記録された券面ＩＣ固有情報２４の赤外吸収性薄膜層記録２４ｂを、赤外吸収を持たない同色の印画２４ｂ１を券面ＩＣ固有情報２４の周辺に印字し(図９（ｂ）)、不可視の券面ＩＣ固有情報２４に変えて消去する(図９（ｃ）)。
【００３８】
図１０の実施の形態は、消去可能な可視の券面ＩＣ固有情報２４が赤外吸収性薄膜層２４ｃ１上に設けられた赤外吸収性有色記録層記録２４ｃ２である(図１０（ａ）)。消去手段４１がレーザー記録ヘッド４１ｂであり、レーザー記録ヘッド４１ｂを用いたアブレーションにより一様に赤外吸収性有色記録層記録２４ｃ２を除去し(図１０（ｂ）)、券面ＩＣ固有情報部のみ残存させて不可視の券面ＩＣ固有情報２４に変えて消去する(図１０（ｃ）)。
【００３９】
図１１の実施の形態は、消去可能な可視の券面ＩＣ固有情報２４が赤外吸収性色素の昇華熱転写記録２４ｄである(図１１（ａ）)。消去手段４１がサーマルヘッド４１ａであり、サーマルヘッド４１ａを用いて、赤外吸収性のない同色の印画２４ｄ１を券面ＩＣ固有情報周辺に印字し(図11（ｂ）)、不可視の券面ＩＣ固有情報２４に変えて消去する(図１１（ｃ）)。
【００４０】
次に、図１４に基づいて、第２及び第３発明のＩＣカード発行装置を備えるＩＣカード発行システムの実施の形態について説明する。
【００４１】
この実施の形態のＩＣカード発行システム１００は、ＩＣカード発行装置１０１を備えている。ＩＣカード発行装置１０１はデータサーバ１０２とデータを送信、受信可能になっており、データ記録手段１１０、カード面記録手段１１１、消去手段４０、４１、券面ＩＣ固有情報読取手段１２０、ＩＣ内部固有情報読取手段１２１、制御装置１３０を有する。
【００４２】
このＩＣカード発行装置１０１は、カード所有者の個人情報が登録されているデータサーバ１０２から図１(ａ)に示すようなＩＣカード1のカード面に記録するデータを受信して記録するとともに、ＩＣチップＣ１に記録して図１(ｂ)に示すようなＩＣカード1を発行する。
【００４３】
ＩＣカード発行装置１０１は、データ記録手段１１０、カード面記録手段１１１、消去手段４０、４１、券面ＩＣ固有情報読取手段１２０、ＩＣ内部固有情報読取手段１２１、制御装置１３０を有する。
【００４４】
データ記録手段１１０は、ＩＣカード1のＩＣチップＣ１に個人情報を記録する。データ記録手段１１０は、例えば、リーダライタにより構成され、ＩＣチップＣ１に個人情報をデータ記録する。
【００４５】
カード面記録手段１１１は、ＩＣカード1のカード面に個人情報３０、３１を記録する。カード面記録手段１１１は、例えば、熱溶融転写、昇華熱転写などの熱転写を用い、個人情報３０、３１を記録する。
【００４６】
カード面記録手段１１１は、ＩＣカード1のカード面に個人情報３０、３１を記録すると共に、固有情報３２を記録する。
【００４７】
消去手段４０、４１は、ＩＣカード1のカード面にＩＣチップＣ１に記録したＩＣ内部固有情報と関連付けする消去可能な券面ＩＣ固有情報２３、２４を消去する。この消去手段４０は、例えば、図３乃至図７に示すように構成され、消去手段４１は、例えば、図８乃至図１１に示すように構成される。
【００４８】
券面ＩＣ固有情報読取手段１２０は、例えば、非接触リーダライタ、赤外線カメラＣＣＤなどの撮像手段などで構成され、券面ＩＣ固有情報２３、２４を読み取る。
【００４９】
ＩＣ内部固有情報読取手段１２１は、例えば、リーダライタにより構成され、ＩＣチップＣ１に、ＩＣ内部固有情報としてＩＣチップＣ１の製造番号や製造ロット、検査情報、製造者などの情報を読み取る。ＩＣ内部固有情報は暗号化されていてもいなくても良いが、暗号化されていることが安全性上好ましい。
【００５０】
制御装置１３０は、例えばマイクロコンピュータにより構成され、データサーバ１０２とデータを送信、受信を行うと共に、データ記録手段１１０、カード面記録手段１１１、消去手段４０、券面ＩＣ固有情報読取手段１２０、ＩＣ内部固有情報読取手段１２１の制御を行う。
【００５１】
データサーバ１０２には、データベース１０２ａを備え、データベース１０２ａにはカード所有者の個人情報などが登録されている。
【００５２】
制御装置１３０は、読み取ったＩＣチップＣ１に記録されたＩＣ内部固有情報と、ＩＣカード1のカード面に記録された消去可能な券面ＩＣ固有情報２３、２４とをデータサーバ１０２に送信する。データサーバ１０２は、ＩＣ内部固有情報と券面ＩＣ固有情報２３、２４とを関連付けて登録し、かつ関連付けする固有情報３２のＩＤ番号をＩＣカード発行装置１０１へ送信する。
【００５３】
ＩＣカード発行装置１０１は、カード面に記録された消去可能な券面ＩＣ固有情報２３、２４を消去し、かつ関連付けした固有情報３２のＩＤ番号をカード面及びＩＣチップＣ１に記録してＩＣカード1を発行する。
【００５４】
このように、このＩＣカード発行システム１００は、カード所有者の個人情報が登録されているデータサーバ１０２からＩＣカード1のカード面に記録するデータをＩＣカード発行装置１０１へ送信して記録するとともに、ＩＣチップＩＣに記録してＩＣカード1を発行する。この実施の形態を図１３乃至図１６に示す。
【００５５】
図１３の実施の形態は、ＩＣカード1のカード面に記録された消去可能な券面ＩＣ固有情報２３、２４を読み取り(ステップａ１)、ＩＣチップＣ１に記録されたＩＣ内部固有情報を読み取り(ステップａ２)、読み取ったＩＣ内部固有情報と消去可能な券面ＩＣ固有情報２３、２４とをＩＣカード発行装置１０１からデータサーバ１０２に送信する。データサーバ１０２は、ＩＣ内部固有情報と券面ＩＣ固有情報２３、２４とを関連付けてデータベース１０２ａに登録し、かつ関連付けする固有情報３２のＩＤ番号をＩＣカード発行装置１０１へ送信する。
【００５６】
ＩＣカード発行装置１０１は、カード面に記録された消去可能な券面ＩＣ固有情報２３、２４を消去し(ステップa３)、かつ関連付けした固有情報３２のＩＤ番号をカード面の券面に記録し(ステップａ４)、ＩＣチップC1にデータ記録し(ステップａ５)、ＩＣカード１を発行する。
【００５７】
図１４の実施の形態は、図１３の実施の形態と同様であるが、関連付けした固有情報３２のＩＤ番号をカード面の券面に記録し(ステップb４)、個人情報３０、３１及び固有情報３２を保護する保護層２３５を設け(ステップｂ５)、ＩＣチップＣ１にデータ記録し(ステップｂ６)、ＩＣカード１を発行する。
【００５８】
図１５の実施の形態は、図１３の実施の形態と同様であるが、ＩＣ内部固有情報を読み取り(ステップｃ１)、消去可能な券面ＩＣ固有情報２３、２４を読み取り(ステップｃ２)、消去可能な券面ＩＣ固有情報２３、２４を消去し(ステップｃ３)、かつ関連付けした固有情報３２のＩＤ番号をＩＣチップＣ１にデータ記録し(ステップｃ４)、カード面の券面に記録し(ステップｃ５)、ＩＣカード1を発行する。
【００５９】
図１６の実施の形態は、図１５の実施の形態と同様であるが、ＩＣ内部固有情報を読み取り(ステップｄ１)、消去可能な券面ＩＣ固有情報２３、２４を読み取り(ステップｄ２)、関連付けした固有情報３２のＩＤ番号をカード面の券面に記録し(ステップｄ３)、ＩＣチップＣ１にデータ記録し(ステップｄ４)、データ記録を確認し(ステップｄ５)、消去可能な券面ＩＣ固有情報２３、２４を消去し(ステップｄ６)、個人情報３０、３１及び固有情報３２を保護する保護層２３５を設け(ステップｄ７)、ＩＣカード１を発行する。
【００６０】
このように、データサーバ１０２に、ＩＣ内部固有情報と券面ＩＣ固有情報２３、２４とを関連付けしたＩＤ番号などの固有情報３２、またＩＣ内部固有情報と券面ＩＣ固有情報２３、２４とを関連付けしたＩＤ番号などの固有情報３２を登録して保存することで、ＩＣチップＣ１の情報が改竄、破壌された場合等でも、カード面の固有情報３２を読出して照合することで、ＩＣカード１の偽変造を判定することができ、安全性を改善することが可能である。
【００６１】
ＩＣチップＣ１のデータが改竄、故意に破壊または、カード表面記載事項の改竄、偽造が行われても、真正証明ができるとともに、製造上の検査等で容易にデータサーバ１０２より固有情報、個人情報、製造情報等を取得でき再発行や製造収率向上を図ることができる。
【産業上の利用可能性】
【００６２】
この発明は、偽造、変造防止等の安全性が要求される個人情報等を記憶する接触式および非接触式の電子カード、あるいはシステムに適用して好適なＩＣカード、ＩＣカード発行装置並びにＩＣカード発行システムに適用でき、安全性を改善し、尚且つ製造効率やトレーサビリティを高い次元で改善することが可能である。
【図面の簡単な説明】
【００６３】
【図１】ＩＣカードの発行前と発行後の平面図である。
【図２】ＩＣカードの層構成を示す図である。
【図３】消去可能な券面ＩＣ固有情報をＩＣカード発行装置に備えられる消去手段により消去する実施の形態について説明する図である。
【図４】消去可能な券面ＩＣ固有情報をＩＣカード発行装置に備えられる消去手段により消去する実施の形態について説明する図である。
【図５】消去可能な券面ＩＣ固有情報をＩＣカード発行装置に備えられる消去手段により消去する実施の形態について説明する図である。
【図６】消去可能な券面ＩＣ固有情報をＩＣカード発行装置に備えられる消去手段により消去する実施の形態について説明する図である。
【図７】消去可能な券面ＩＣ固有情報をＩＣカード発行装置に備えられる消去手段により消去する実施の形態について説明する図である。
【図８】可視の券面ＩＣ固有情報をＩＣカード発行装置に備えられる変更手段により不可視の券面ＩＣ固有情報に変える実施の形態について説明する図である。
【図９】可視の券面ＩＣ固有情報をＩＣカード発行装置に備えられる変更手段により不可視の券面ＩＣ固有情報に変える実施の形態について説明する図である。
【図１０】可視の券面ＩＣ固有情報をＩＣカード発行装置に備えられる変更手段により不可視の券面ＩＣ固有情報に変える実施の形態について説明する図である。
【図１１】可視の券面ＩＣ固有情報をＩＣカード発行装置に備えられる変更手段により不可視の券面ＩＣ固有情報に変える実施の形態について説明する図である。
【図１２】ＩＣカード発行装置を備えるＩＣカード発行システムの実施の形態について説明する概略図である。
【図１３】ＩＣカード発行システムのフローチャートである。
【図１４】ＩＣカード発行システムのフローチャートである。
【図１５】ＩＣカード発行システムのフローチャートである。
【図１６】ＩＣカード発行システムのフローチャートである。
【符号の説明】
【００６４】
１          ＩＣカード
２０        文字情報記録領域
２１        画像情報記録領域
２２        固有情報記録領域
２３、２４  券面ＩＣ固有情報
３０、３１  個人情報
３２        固有情報
４０、４１  消去手段
１００      ＩＣカード発行システム
１０１      ＩＣカード発行装置
１０２      データサーバ
１１０      データ記録手段
１１１      カード面記録手段
１２０      券面ＩＣ固有情報読取手段
１２１      ＩＣ内部固有情報読取手段
１３０      制御装置
２１０      第１の支持体
２２０      第２の支持体
２３１、２３２  接着層
２３３      受像層
２３５      保護層
Ｃ１        ＩＣチップ
Ｃ２        アンテナ
Ｃ          ＩＣモジュール
【図１】
2007102404.tif 000003
【図２】
2007102404.tif 000004
【図３】
2007102404.tif 000005
【図４】
2007102404.tif 000006
【図５】
2007102404.tif 000007
【図６】
2007102404.tif 000008
【図７】
2007102404.tif 000009
【図８】
2007102404.tif 000010
【図９】
2007102404.tif 000011
【図１０】
2007102404.tif 000012
【図１１】
2007102404.tif 000013
【図１２】
2007102404.tif 000014
【図１３】
2007102404.tif 000015
【図１４】
2007102404.tif 000016
【図１５】
2007102404.tif 000017
【図１６】
2007102404.tif 000018